(57)【要約】【課題】肩凝り、腰痛、頭痛といった諸症状の緩和とユーザのストレス軽減に寄与する情報をユーザに対して提示することができる画像表示装置およびテレビジョン装置を提供する。【解決手段】ユーザが訴える症状および該症状を有する身体部位の一覧を記憶する選択対象記憶部４１と、選択対象記憶部４１に記憶した一覧を表示する表示部２０と、一覧に対するユーザからの選択を記憶するユーザ選択記憶部４２と、選択に基づいて症状の緩和とユーザのストレス軽減に寄与する情報の検索のための検索条件を決定する検索条件決定部５１と、検索条件によって検索される情報を含むコンテンツを保存するコンテンツ記憶部４３と、コンテンツ記憶部４３からコンテンツを読み出して表示部２０に表示させる表示制御部５３とを備えている。【選択図】図１
2019040513.tif 000002
【特許請求の範囲】
【請求項１】
ユーザが訴える症状および該症状を有する身体部位の一覧を記憶する選択対象記憶部と、
該選択対象記憶部に記憶した前記一覧を表示する表示部と、
前記一覧に対するユーザからの選択を記憶するユーザ選択記憶部と、
前記選択に基づいて前記症状の緩和とユーザのストレス軽減に寄与する情報の検索のための検索条件を決定する検索条件決定部と、
前記検索条件によって検索される前記情報を含むコンテンツを保存するコンテンツ記憶部と、
前記コンテンツ記憶部から前記コンテンツを読み出して前記表示部に表示させる表示制御部とを備えていることを特徴とする画像表示装置。
【請求項２】
前記表示部が、前記症状の一覧を表示し、ユーザによる前記症状の選択に応じて、選択された前記症状と関連する前記身体部位の一覧に切り替えて表示することを特徴とする請求項１に記載の画像表示装置。
【請求項３】
前記表示部が、前記身体部位の一覧を表示し、ユーザによる前記身体部位の選択に応じて、選択された前記身体部位で起こり得る症状詳細の一覧に切り替えて表示することを特徴とする請求項１または２に記載の画像表示装置。
【請求項４】
前記身体部位の一覧が、人体を模した表示であることを特徴とする請求項１から３のいずれか１に記載の画像表示装置。
【請求項５】
コンテンツ取得部をさらに有し、該コンテンツ取得部は、外部データベースにアクセスして、前記コンテンツを取得し、前記コンテンツ記憶部に保存することを特徴とする請求項１から４のいずれか１に記載の画像表示装置。
【請求項６】
請求項１から５のいずれか１に記載の画像表示装置を備えていることを特徴とするテレビジョン装置。
【請求項７】
前記検索条件に基づいて、電子番組表を検索して、関連する放送予定番組の視聴または録画を促す表示を前記表示部に表示する請求項６に記載のテレビジョン装置。
【請求項８】
電子番組表と連携して動作する放送番組録画機能を有し、前記検索条件に基づいて、放送番組を自動的に録画し、前記コンテンツ記憶部に保存することを特徴とする請求項６または７に記載のテレビジョン装置。
【発明の詳細な説明】
【技術分野】
【０００１】
本発明は、画像表示装置およびテレビジョン装置に関し、詳しくは、肩凝り、腰痛、頭痛といった諸症状の緩和とユーザのストレス軽減に寄与する情報をユーザに対して提示することができる画像表示装置およびテレビジョン装置に関する。
【背景技術】
【０００２】
肩凝り、腰痛、頭痛といった、時に不定愁訴とも云われる症状を訴える人は多い。こうした症状を訴える人（患者）にとって、取り得る選択肢には、以下のようなものがある。
すなわち、選択肢１．「病院に行き診察を受ける」、選択肢２．「市販の薬を服用する」、選択肢３．「我慢する」といった選択肢があり得る。
【０００３】
しかし、選択肢１．は、より効果的な治療や不安の除去が期待できるものの、往々にして面倒であり、患者は、治療に伴う身体的苦痛、自宅と病院との往復時間や病院での診察までの待ち時間、および医療費等の金銭的支出等を考え、躊躇しがちである。
選択肢２．は、選択肢１．に較べ、より簡便であり、患者は、在宅で実践することが可能であるが、市販の薬は、患者個人の症状に合わせ処方されたものでないこともあり、即効性を期待できないことが多い。また、薬の購入には、金銭的支出を要する。
選択肢３．は、症状がさほど重篤でなければ、患者にとって選択肢となり得る。一方で、苦痛を我慢することにより発生するストレスにも対処する必要があるという問題がある。
【０００４】
ところで、特許文献１には、健康管理委託者が、自宅に設置された入力装置を通じて、遠隔の契約医療機関に設置されたサーバーに対し、体調有訴データを入力・送信することにより、在宅診療を可能とする在宅健康管理システムが開示されている。
【先行技術文献】
【特許文献】
【０００５】
【特許文献１】特開２００１−１７８６８８号公報
【発明の概要】
【発明が解決しようとする課題】
【０００６】
特許文献１に開示された在宅健康管理システムは、契約委託者が日々、入力・送信する体調有訴データを契約医療機関に設置されたサーバーが受信・蓄積して、この体調有訴データを基に、契約医療機関側で医師が診療診察を行うものであるが、こうした在宅健康管理システムの利用には、契約委託者が一定の契約費用ならびに通信費用を負担する必要が生ずる。
また、医師による本格的な診療診察までは要しなくても、日常生活で多くの人が感じている諸症状の緩和と該諸症状を我慢することに伴うストレス軽減を、素早く、簡便かつ安価に実現したいというニーズも存在する。
【０００７】
本発明は、上述のような実情に鑑みてなされたもので、肩凝り、腰痛、頭痛といった諸症状の緩和とユーザのストレス軽減に寄与する情報をユーザに対して提示することができる画像表示装置およびテレビジョン装置を提供することを目的とする。
【課題を解決するための手段】
【０００８】
上記課題を解決するために、本発明の第１の技術手段は、ユーザが訴える症状および該症状を有する身体部位の一覧を記憶する選択対象記憶部と、該選択対象記憶部に記憶した前記一覧を表示する表示部と、前記一覧に対するユーザからの選択を記憶するユーザ選択記憶部と、前記選択に基づいて前記症状の緩和とユーザのストレス軽減に寄与する情報の検索のための検索条件を決定する検索条件決定部と、前記検索条件によって検索される前記情報を含むコンテンツを保存するコンテンツ記憶部と、前記コンテンツ記憶部から前記コンテンツを読み出して前記表示部に表示させる表示制御部とを備えていることを特徴としたものである。
【０００９】
第２の技術手段は、第１の技術手段において、前記表示部が、前記症状の一覧を表示し、ユーザによる前記症状の選択に応じて、選択された前記症状と関連する前記身体部位の一覧に切り替えて表示することを特徴としたものである。
【００１０】
第３の技術手段は、第１または第２の技術手段において、前記表示部が、前記身体部位の一覧を表示し、ユーザによる前記身体部位の選択に応じて、選択された前記身体部位で起こり得る症状詳細の一覧に切り替えて表示することを特徴としたものである。
【００１１】
第４の技術手段は、第１から第３のいずれか１の技術手段において、前記身体部位の一覧が、人体を模した表示であることを特徴としたものである。
【００１２】
第５の技術手段は、第１から第４のいずれか１の技術手段において、コンテンツ取得部をさらに有し、該コンテンツ取得部は、外部データベースにアクセスして、前記コンテンツを取得し、前記コンテンツ記憶部に保存することを特徴としたものである。
【００１３】
第６の技術手段は、第１から第５のいずれか１の技術手段を備えているテレビジョン装置であることを特徴としたものである。
【００１４】
第７の技術手段は、第６の技術手段において、前記検索条件に基づいて、電子番組表を検索して、関連する放送予定番組の視聴または録画を促す表示を前記表示部に表示することを特徴としたものである。
【００１５】
第８の技術手段は、第６または第７の技術手段において、電子番組表と連携して動作する放送番組録画機能を有し、前記検索条件に基づいて、放送番組を自動的に録画し、前記コンテンツ記憶部に保存することを特徴としたものである。
【発明の効果】
【００１６】
本発明によれば、ユーザが訴える症状および該症状を有する身体部位の一覧を選択可能に表示することにより、ユーザからの選択に基づいて、上記症状の緩和とユーザのストレス軽減に寄与する情報を含むコンテンツを検索するため、当該コンテンツをユーザに対して提示することができる。
【図面の簡単な説明】
【００１７】
【図１】本発明の一実施形態に係る画像表示装置およびテレビジョン装置の機能ブロック図である。
【図２Ａ】本発明の一実施形態に係る画像表示装置が有する表示部に表示される症状の一覧を示す図である。
【図２Ｂ】本発明の一実施形態に係る画像表示装置が有する表示部に表示される身体部位の一覧を示す図である。
【図２Ｃ】本発明の一実施形態に係る画像表示装置が有する表示部に表示される症状詳細の一覧を示す図である。
【図３】本発明の一実施形態に係る画像表示装置の動作フローの一例を示す図である。
【図４Ａ】本発明の他の実施形態に係る画像表示装置が有する表示部に表示される主要身体部位および身体部位の一覧を示す図である。
【図４Ｂ】本発明の他の実施形態に係る画像表示装置が有する表示部に表示される症状詳細の一覧を示す図である。
【図５】本発明の他の実施形態に係る画像表示装置の動作フローの一例を示す図である。
【図６Ａ】本発明のさらに他の実施形態に係る画像表示装置が有する表示部に表示される身体部位の一覧を示す図である。
【図６Ｂ】本発明のさらに他の実施形態に係る画像表示装置が有する表示部に表示される症状詳細の一覧を示す図である。
【発明を実施するための形態】
【００１８】
以下、図面を参照しながら、本発明の画像表示装置およびテレビジョン装置に係る好適な実施の形態について説明する。以下の説明において、異なる図面においても同じ符号を付した構成は同様のものであるとして、その説明を省略する場合がある。なお、本発明はこれらの実施形態での例示に限定されるものではなく、特許請求の範囲に記載された事項の範囲内および均等の範囲内におけるすべての変更を含む。
【００１９】
（第１の実施形態）
図１は、本発明の一実施形態に係る画像表示装置１およびテレビジョン装置２の機能ブロック図である。本実施形態では、画像表示装置１をテレビジョン装置２が備える場合を例に説明する。
【００２０】
本実施形態に係る画像表示装置およびテレビジョン装置は、画像表示装置１および画像表示装置１を有するテレビジョン装置２から構成されている。画像表示装置１は、ＴＶ操作受信部１０を有する。ＴＶ操作受信部１０は、主に無線方式、すなわち赤外線（ＩＲ）方式またはＺｉｇＢｅｅ（登録商標）やＢｌｕｅｔｏｏｔｈ（登録商標）、無線ＬＡＮ等の高周波（ＲＦ）方式で、リモコン６０からのユーザによる操作入力を受け付ける。
【００２１】
表示部２０は、例えば、液晶パネルによって構成され、後述する、ユーザが訴える症状および該症状を有する身体部位の一覧をユーザに視認可能に表示する。
ＴＶ放送受信部３０は、放送局８０からＴＶ放送を受信する。
記憶部４０は、選択対象記憶部４１と、ユーザ選択記憶部４２と、コンテンツ記憶部４３とからなる。選択対象記憶部４１は、ユーザが訴える症状および該症状を有する身体部位の一覧を記憶する。
【００２２】
ここで、選択対象記憶部４１が記憶する症状の一覧には、「頭痛」、「肩凝り」、「首痛」、「腰痛」といった代表的な症状の一覧と、「ちくちく痛む」、「ずきずき痛む」等の、より具体的な症状詳細の一覧が含まれる。
また、選択対象記憶部４１が記憶する身体部位の一覧には、「頭」、「腕」、「胴」、「足」といった主要身体部位の一覧と、これらに対し概念的により下位に当たる「前頭」、「後頭」等の身体部位の一覧と、人体を模した表示である身体部位の一覧図が含まれる。
【００２３】
ユーザ選択記憶部４２は、ユーザが訴える症状および該症状を有する身体部位の一覧に対してユーザが選択した情報を記憶する。後述するように、リモコン６０を操作することにより、ユーザは、表示部２０に表示された症状および身体部位の一覧から、自身に該当する症状および該症状を有する身体部位を選択することができる。
コンテンツ記憶部４３は、ユーザが訴える症状の緩和とユーザのストレス軽減に寄与する情報を含むコンテンツを保存する。ここで、上記コンテンツは、ＴＶ放送、ＶＴＲ映像、スライドショー、漫画、音声等を含むが、これらに限定されない。
【００２４】
上記コンテンツが含む対症療法としては、例えば、ユーザが特定の身体部位における痛みや痺れ、むくみといった症状を訴える場合には、これらの症状を緩和し、ユーザのストレスを軽減するストレッチ運動の方法等が該当する。
また、上記対症療法は、ストレッチ運動以外に、体操、ダンス、マッサージ、ツボ押し、指圧、安静等を含むが、これらに限定されない。なお、上記コンテンツの其々には、後述する検索条件決定部５１による検索に用いられるタグが付与されている。
【００２５】
制御部５０は、検索条件決定部５１と、コンテンツ取得部５２と、表示制御部５３とからなる。検索条件決定部５１は、ユーザが訴える症状および該症状を有する身体部位の一覧に対するユーザからの選択に基づいて、ユーザが訴える症状の緩和とユーザのストレス軽減に寄与する情報の検索のための検索条件を決定する。
より具体的には、検索条件決定部５１は、ユーザが訴える症状の緩和とユーザのストレス軽減に寄与する情報の検索のためのキーワードまたは検索式を決定し、該キーワードまたは検索式に基づいてコンテンツ記憶部４３に対して検索を行う。
【００２６】
外部データベース７０は、上記コンテンツを蓄積する。また、コンテンツ取得部５２は、外部データベース７０にアクセスして、コンテンツ記憶部４３に保存された上記コンテンツを更新することができる。
表示制御部５３は、コンテンツ記憶部４３から上記コンテンツを読み出して表示部２０に表示させる。
【００２７】
図２Ａは、本発明の一実施形態に係る画像表示装置１が有する表示部２０に表示される症状１１０の一覧を示す図である。ここで、表示される症状１１０は、代表的な症状を示すもので、かつ、ある程度、特定の身体部位で生じるものであることを示唆する内容である。
表示部２０に表示された第１健康メニュー画面１０１上で、症状１１０は、アイコンとして整列されて複数表示され、ユーザは、リモコン６０を操作することにより、自身が訴える症状に該当する症状１１０のアイコンを選択することができる。なお、本図では、症状１１０の例として４つのアイコンが表示されているが、症状１１０は、これらのアイコンの例に限定されるものではない。
ユーザが特定のアイコンを選択していることは、アイコンの色を背景色と反転させたり、当初の色から変化させることにより示される。また、図示しないカーソル（ポインタ）がリモコン６０の操作により移動可能に表示され、ユーザが、特定のアイコン上にカーソル（ポインタ）を移動してクリック操作をすることにより、特定のアイコンを選択するようにしてもよい。
【００２８】
また、症状１１０の複数のアイコンの他、一例として、第１健康メニュー画面１０１上には、検索ボタン１７０および次画面ボタン１８０が表示される。
症状１１０の複数のアイコンから特定のアイコンが選択された状態で、ユーザが、リモコン６０の操作により検索ボタン１７０を押すと、選択されたアイコンに係る症状１１０に基づいて、ユーザが訴える症状の緩和とユーザのストレス軽減に寄与する情報の検索のための検索条件が決定され、該検索条件によって検索される上記情報を含むコンテンツが検索される。
一方、症状１１０の複数のアイコンから特定のアイコンが選択された状態で、ユーザが、リモコン６０の操作により次画面ボタン１８０を押すと、表示部２０に表示される画面は、次に説明する図２Ｂに示される第２健康メニュー画面１０２に遷移する。
【００２９】
図２Ｂは、本発明の一実施形態に係る画像表示装置１が有する表示部２０に表示される身体部位１３０の一覧を示す図である。
表示部２０に表示された第２健康メニュー画面１０２上で、身体部位１３０は、アイコンとして整列されて複数表示され、ユーザは、リモコン６０を操作することにより、自身が訴える症状と関連する身体部位１３０のアイコンを選択することができる。
第２健康メニュー画面１０２上で表示される身体部位１３０のアイコンは、図２Ａの第１健康メニュー画面１０１上で表示され、ユーザにより選択された症状１１０と関連する身体部位に係るものとなる。ここでは、図２Ａで、ユーザが症状１１０を示すアイコンとして「頭痛」を選択した場合を想定し、「頭痛」と関連する身体部位１３０が、アイコンとして整列されて複数表示されている。なお、本図では、身体部位１３０の例として６つのアイコンが表示されているが、身体部位１３０は、これらのアイコンの例に限定されるものではない。
【００３０】
また、身体部位１３０の複数のアイコンの他、一例として、第２健康メニュー画面１０２上には、検索ボタン１７０および次画面ボタン１８０が表示される。
身体部位１３０の複数のアイコンから特定のアイコンが選択された状態で、ユーザが、リモコン６０の操作により検索ボタン１７０を押すと、第１健康メニュー画面１０１上で先に選択されたアイコンに係る症状１１０および第２健康メニュー画面１０２上で今回選択されたアイコンに係る身体部位１３０に基づいて、ユーザが訴える症状の緩和とユーザのストレス軽減に寄与する情報の検索のための検索条件が決定され、該検索条件によって検索される上記情報を含むコンテンツが検索される。
一方、身体部位１３０の複数のアイコンから特定のアイコンが選択された状態で、ユーザが、リモコン６０の操作により次画面ボタン１８０を押すと、表示部２０に表示される画面は、次に説明する図２Ｃに示される第３健康メニュー画面１０３に遷移する。
【００３１】
図２Ｃは、本発明の一実施形態に係る画像表示装置１が有する表示部２０に表示される症状詳細１５０の一覧を示す図である。
表示部２０に表示された第３健康メニュー画面１０３上で、症状詳細１５０は、アイコンとして整列されて複数表示され、ユーザは、リモコン６０を操作することにより、自身が訴える症状と関連する身体部位で起こり得る症状詳細１５０のアイコンを選択することができる。ここでは、図２Ｂで、ユーザが身体部位１３０を示すアイコンとして、例えば「後頭」を選択した場合を想定し、「後頭」で起こり得る症状詳細１５０がアイコンとして整列されて複数表示されている。
【００３２】
なお、先にユーザが選択した身体部位１３０で起こり得る症状詳細１５０が多数あり、一画面ですべて表示しきれないことがある。その場合、第３健康メニュー画面１０３上に表示一覧切換えボタン１９０が左右一対で表示され、ユーザは、リモコン６０を操作して、表示一覧切換えボタン１９０のいずれかを押すことにより、更なる症状詳細１５０を表示する別画面に遷移することができる。
【００３３】
また、症状詳細１５０の複数のアイコンの他、一例として、第３健康メニュー画面１０３上には、検索ボタン１７０が表示される。
症状詳細１５０の複数のアイコンから特定のアイコンが選択された状態で、ユーザが、リモコン６０の操作により検索ボタン１７０を押すと、第１健康メニュー画面１０１上で先に選択されたアイコンに係る症状１１０、第２健康メニュー画面１０２上で先に選択されたアイコンに係る身体部位１３０、および第３健康メニュー画面１０３上で今回選択されたアイコンに係る症状詳細１５０に基づいて、ユーザが訴える症状の緩和とユーザのストレス軽減に寄与する情報の検索のための検索条件が決定され、該検索条件によって検索される上記情報を含むコンテンツが検索される。
【００３４】
ここで、症状詳細１５０の一覧を表示する第３健康メニュー画面１０３より、更に絞り込んだ選択項目の一覧を表示する健康メニュー画面が、表示可能に選択対象記憶部４１に記憶されている場合には、図２Ａおよび図２Ｂと同様に、次画面ボタン１８０を設けることによって、更に絞り込んだ項目の一覧を表示選択できるようにしてもよい。
【００３５】
図３は、本発明の一実施形態に係る画像表示装置１の動作フローの一例を示す図である。まず、表示部２０は、選択対象記憶部４１に記憶された、ユーザが訴える症状１１０の一覧を表示する（ステップＳ１０１）。
ユーザは、リモコン６０を操作して、症状１１０の一覧から、いずれかを選択する。症状１１０の一覧が、いずれも選択されていない場合（ステップＳ１０２でＮＯの場合）、画像表示装置１は、選択されるまで待つ（ステップＳ１０１）。
症状１１０の一覧から、いずれかが選択され、すなわち、図２Ａにおいて、例えば、アイコンがクリックされてアイコンの色が変化した状態となっている場合（ステップＳ１０２でＹＥＳの場合）、ステップＳ１０３において、ユーザにより次画面ボタン１８０ではなく検索ボタン１７０が押されたか否かが判断される。
【００３６】
ここで、検索ボタン１７０が押された場合（ステップＳ１０３でＹＥＳの場合）、ステップＳ１０９に進む。
一方、検索ボタン１７０が押される代わりに次画面ボタン１８０が押された場合（ステップＳ１０３でＮＯの場合）、表示部２０は、選択対象記憶部４１に記憶された、選択された症状１１０と関連する身体部位１３０の一覧を表示する（ステップＳ１０４）。
ユーザは、リモコン６０を操作して、身体部位１３０の一覧から、いずれかを選択する。身体部位１３０の一覧が、いずれも選択されていない場合（ステップＳ１０５でＮＯの場合）、画像表示装置１は、選択されるまで待つ（ステップＳ１０４）。
身体部位１３０の一覧から、いずれかが選択され、すなわち、図２Ｂにおいて、例えば、アイコンがクリックされてアイコンの色が変化した状態となっている場合（ステップＳ１０５でＹＥＳの場合）、ステップＳ１０６において、ユーザにより次画面ボタン１８０ではなく検索ボタン１７０が押されたか否かが判断される。
【００３７】
ここで、検索ボタン１７０が押された場合（ステップＳ１０６でＹＥＳの場合）、ステップＳ１０９に進む。
一方、検索ボタン１７０が押される代わりに次画面ボタン１８０が押された場合（ステップＳ１０６でＮＯの場合）、表示部２０は、選択対象記憶部４１に記憶された、選択された身体部位１３０で起こり得る症状詳細１５０の一覧を表示する（ステップＳ１０７）。
ユーザは、リモコン６０を操作して、症状詳細１５０の一覧から、いずれかを選択する。症状詳細１５０の一覧が、いずれも選択されていない場合（ステップＳ１０８でＮＯの場合）、画像表示装置１は、選択されるまで待つ（ステップＳ１０７）。
症状詳細１５０の一覧から、いずれかが選択され、すなわち、図２Ｃにおいて、例えば、アイコンがクリックされてアイコンの色が変化した状態となっている場合（ステップＳ１０８でＹＥＳの場合）、検索ボタン１７０が押されると、ステップＳ１０９に進む。
【００３８】
この時点で、これまでにユーザによりなされた、症状１１０、身体部位１３０、症状詳細１５０の各一覧に対する選択に基づいて、検索条件決定部５１は、選択された症状の緩和とユーザのストレス軽減に寄与する情報の検索のための検索条件を決定する（ステップＳ１０９）。
そして、決定された検索条件によって、上記情報を含むコンテンツを保存するコンテンツ記憶部４３内で検索条件に合致する情報が検索される（ステップＳ１１０）。
さらに、表示制御部５３が、コンテンツ記憶部４３からコンテンツを読み出して表示部２０に表示させる（ステップＳ１１１）。
【００３９】
（第２の実施形態）
図４Ａは、本発明の他の実施形態に係る画像表示装置１が有する表示部２０に表示される主要身体部位２２０および身体部位２３０の一覧を示す図である。
表示部２０に表示された第１健康メニュー画面２０１上で、主要身体部位２２０は、アイコンとして整列されて、第１健康メニュー画面２０１の左側に複数表示される。
ユーザは、先ず、リモコン６０を操作することにより、自身が訴える症状を有する主要身体部位２２０のアイコンを選択することができる。なお、本図では、主要身体部位２２０の例として、４つのアイコンが表示されているが、主要身体部位２２０は、これらのアイコンの例に限定されるものではない。
ユーザによる特定のアイコンの選択についての説明は、第１の実施形態と同様であるので、省略する。
【００４０】
また、表示部２０に表示された第１健康メニュー画面２０１上で、身体部位２３０は、アイコンとして整列されて、第１健康メニュー画面２０１の右側に複数表示される。身体部位２３０のアイコンは、ユーザが、第１健康メニュー画面２０１の左側に複数表示される主要身体部位２２０のいずれを選択したかに応じて、表示が変更される。本図では、ユーザが主要身体部位２２０を示すアイコンとして「頭」を選択した場合に表示される身体部位２３０のアイコンが示されている。
なお、表示部２０において、主要身体部位２２０および身体部位２３０の各アイコンが表示される位置は、図示したような第１健康メニュー画面２０１の左側や右側に限定されることなく、任意に決定されるが、両アイコンが混在せずに表示されることが好ましい。
【００４１】
また、主要身体部位２２０および身体部位２３０の複数のアイコンの他、一例として、第１健康メニュー画面２０１上には、検索ボタン２７０および次画面ボタン２８０が表示される。
主要身体部位２２０および身体部位２３０の複数のアイコンから、其々、特定のアイコンが選択された状態で、ユーザが、リモコン６０の操作により検索ボタン２７０を押すと、選択されたアイコンに係る主要身体部位２２０および身体部位２３０に基づいて、ユーザが訴える症状の緩和とユーザのストレス軽減に寄与する情報の検索のための検索条件が決定され、該検索条件によって検索される上記情報を含むコンテンツが検索される。
一方、主要身体部位２２０および身体部位２３０の複数のアイコンから特定のアイコンが選択された状態で、ユーザが、リモコン６０の操作により次画面ボタン２８０を押すと、表示部２０に表示される画面は、次に説明する図４Ｂに示される第２健康メニュー画面２０２に遷移する。
【００４２】
図４Ｂは、本発明の他の実施形態に係る画像表示装置１が有する表示部２０に表示される症状詳細２５０の一覧を示す図である。
表示部２０に表示された第２健康メニュー画面２０２上で、症状詳細２５０は、アイコンとして整列されて複数表示され、ユーザは、リモコン６０を操作することにより、自身が訴える症状と関連する身体部位で起こり得る症状詳細２５０のアイコンを選択することができる。
第２健康メニュー画面２０２上で表示される症状詳細２５０のアイコンは、図４Ａの第１健康メニュー画面２０１上で表示され、ユーザにより選択された症状１１０と関連する身体部位に係るものとなる。ここでは、図４Ａで、例えば、ユーザが、主要身体部位２２０を示すアイコンとして「頭」を、身体部位２３０を示すアイコンとして「後頭」を選択した場合を想定し、「頭」に包括される「後頭」で起こり得る症状詳細２５０がアイコンとして整列されて複数表示されている。
【００４３】
なお、先にユーザが選択した主要身体部位２２０および身体部位２３０で起こり得る症状詳細２５０が多数あり、一画面ですべて表示しきれないことがある。その場合、第２健康メニュー画面２０２上に表示一覧切換えボタン２９０が左右一対で表示され、ユーザは、リモコン６０を操作して、表示一覧切換えボタン２９０のいずれかを押すことにより、更なる症状詳細２５０を表示する別画面に遷移することができる。
また、本図では、症状詳細２５０の例として「痛み（頭痛）」に係る６つのアイコンが表示されているが、「後頭」で起こり得る症状詳細２５０は、必ずしもこれらに限られるものではなく、ユーザが表示一覧切換えボタン２９０を選択することにより、別画面に遷移して、これら以外の症状詳細２５０のアイコンが選択可能である。
【００４４】
また、症状詳細２５０の複数のアイコンの他、一例として、第２健康メニュー画面２０２上には、検索ボタン２７０が表示される。
症状詳細２５０の複数のアイコンから特定のアイコンが選択された状態で、ユーザが、リモコン６０の操作により検索ボタン２７０を押すと、第１健康メニュー画面２０１上で先に選択されたアイコンに係る主要身体部位２２０および身体部位２３０、ならびに第２健康メニュー画面２０２上で今回選択されたアイコンに係る症状詳細２５０に基づいて、ユーザが訴える症状の緩和とユーザのストレス軽減に寄与する情報の検索のための検索条件が決定され、該検索条件によって検索される上記情報を含むコンテンツが検索される。
【００４５】
ここで、症状詳細２５０の一覧を表示する第２健康メニュー画面２０２より、更に絞り込んだ選択項目の一覧を表示する健康メニュー画面が、表示可能に選択対象記憶部４１に記憶されている場合には、図４Ａと同様に、次画面ボタン２８０を設けることによって、更に絞り込んだ項目の一覧を表示選択できるようにしてもよい。
【００４６】
図５は、本発明の他の実施形態に係る画像表示装置の動作フローの一例を示す図である。まず、表示部２０は、選択対象記憶部４１に記憶された、ユーザが訴える症状を有する身体部位の一覧を表示する（ステップＳ２０１）。ここで、表示部２０に表示される身体部位には、主要身体部位２２０および身体部位２３０のいずれも含まれる。
ユーザは、リモコン６０を操作して、上記身体部位の一覧から、いずれかを選択する。上記身体部位の一覧が、いずれも選択されていない場合（ステップＳ２０２でＮＯの場合）、画像表示装置１は、選択されるまで待つ（ステップＳ２０１）。
上記身体部位の一覧から、いずれかが選択され、すなわち、図４Ａにおいて、例えば、アイコンがクリックされてアイコンの色が変化した状態となっている場合（ステップＳ２０２でＹＥＳの場合）、ステップＳ２０３において、ユーザにより次画面ボタン２８０ではなく検索ボタン２７０が押されたか否かが判断される。
【００４７】
ここで、検索ボタン２７０が押された場合（ステップＳ２０３でＹＥＳの場合）、ステップＳ２０６に進む。
一方、検索ボタン２７０が押される代わりに次画面ボタン２８０が押された場合（ステップＳ２０３でＮＯの場合）、表示部２０は、選択対象記憶部４１に記憶された、選択された身体部位で起こり得る症状詳細２５０の一覧を表示する（ステップＳ２０４）。
ユーザは、リモコン６０を操作して、症状詳細２５０の一覧から、いずれかを選択する。症状詳細２５０の一覧が、いずれも選択されていない場合（ステップＳ２０５でＮＯの場合）、画像表示装置１は、選択されるまで待つ（ステップＳ２０４）。
症状詳細２５０の一覧から、いずれかが選択され、すなわち、図４Ｂにおいて、例えば、アイコンがクリックされてアイコンの色が変化した状態となっている場合（ステップＳ２０５でＹＥＳの場合）、検索ボタン１７０が押されると、ステップＳ２０６に進む。
【００４８】
この時点で、これまでにユーザによりなされた、主要身体部位２２０、身体部位２３０、症状詳細２５０の各一覧に対する選択に基づいて、検索条件決定部５１は、選択された症状の緩和とユーザのストレス軽減に寄与する情報の検索のための検索条件を決定する（ステップＳ２０６）。
第２の実施形態のステップＳ２０７，Ｓ２０８は、上述した第１の実施形態のステップＳ１１０，Ｓ１１１と共通するので、以降の説明は省略する。
【００４９】
（第３の実施形態）
図６Ａは、本発明のさらに他の実施形態に係る画像表示装置１が有する表示部２０に表示される身体部位の一覧を示す図である。図６Ａに示されるように、第２の実施形態では、主要身体部位２２０および身体部位２３０として示される身体部位は、ここでは、身体部位図３４０として示される。
【００５０】
身体部位図３４０は、人体を模した表示であり、前面および背面に亘って、各身体部位を示すものである。本図では、身体部位図３４０は、各身体部位に相当する楕円系や矩形のアイコンの集合として示されるが、これらの表示に限定されない。
例えば、ゲーム機の操作入力に利用されている距離画像カメラにより撮影されたユーザの全身画像を基に、人体姿勢推定技術を応用して、ユーザの各身体部位を識別することにより、ユーザの全身画像そのものを身体部位図３４０として表示部２０に表示して、各身体部位を選択可能としてもよい。
これにより、ユーザは、自ら症状を有すると訴える身体部位を視覚的、直観的に選択することができる。
【００５１】
図６Ｂは、本発明のさらに他の実施形態に係る画像表示装置１が有する表示部２０に表示される症状詳細３５０の一覧を示す図である。
ここでは、図６Ａで、ユーザが身体部位図３４０のアイコンとして、例えば「後頭部」を選択した場合を想定し、「後頭部」で起こり得る症状詳細３５０がアイコンとして整列されて複数表示されている。ユーザは、リモコン６０を操作して、症状詳細３５０のアイコンを選択することができる。
第３の実施形態のその他の説明は、上述した第２の実施形態の説明と共通するので、以降省略する。
【００５２】
（第４の実施形態）
また、テレビジョン装置２が、画像表示装置１を備えている場合、ユーザ選択記憶部４２が記憶するユーザからの選択に基づいて検索条件決定部５１が決定する検索条件に基づいて、ＴＶ放送受信部３０が放送局８０から受信するＴＶ放送に含まれる電子番組表を検索して、関連する放送予定番組の視聴または録画を促す表示を表示部２０に表示することもできる。
【００５３】
（第５の実施形態）
そして、同様に、テレビジョン装置２が、画像表示装置１を備え、かつ、ＴＶ放送受信部３０が放送局８０から受信するＴＶ放送に含まれる電子番組表と連携して動作する放送番組録画機能を有している場合、ユーザ選択記憶部４２が記憶するユーザからの選択に基づいて検索条件決定部５１が決定する検索条件に基づいて、放送番組を自動的に録画し、コンテンツ記憶部４３に保存することもできる。
【符号の説明】
【００５４】
１…画像表示装置、２…テレビジョン装置、１０…ＴＶ操作受信部、２０…表示部、３０…ＴＶ放送受信部、４０…記憶部、４１…選択対象記憶部、４２…ユーザ選択記憶部、４３…コンテンツ記憶部、５０…制御部、５１…検索条件決定部、５２…コンテンツ取得部、５３…表示制御部、６０…リモコン、７０…外部データベース、８０…放送局、１０１，２０１，３０１…第１健康メニュー画面、１０２，２０２，３０２…第２健康メニュー画面、１０３…第３健康メニュー画面、１１０…症状、２２０…主要身体部位、１３０，２３０…身体部位、３４０…身体部位図、１５０，２５０，３５０…症状詳細、１７０，２７０，３７０…検索ボタン、１８０，２８０，３８０…次画面ボタン、１９０，２９０，３９０…表示一覧切換えボタン。
【図１】
2019040513.tif 000003
【図２Ａ】
2019040513.tif 000004
【図２Ｂ】
2019040513.tif 000005
【図２Ｃ】
2019040513.tif 000006
【図３】
2019040513.tif 000007
【図４Ａ】
2019040513.tif 000008
【図４Ｂ】
2019040513.tif 000009
【図５】
2019040513.tif 000010
【図６Ａ】
2019040513.tif 000011
【図６Ｂ】
2019040513.tif 000012